(57)【要約】      （修正有）【課題】弁体駆動部を弁箱内に流入する液体に接触させない様にした液体供給用ガンノズルを提供する。【解決手段】弁箱５内部において一次側流路２ａと二次側流路３ａとに連通する弁口６の一次側に弁座６ａを設けると共に、該弁座６ａ弁体７を着離自在に設け、該弁体７の弁棒８は、その軸線方向の中途部位に弁箱５内部を接液側Ｔと非接液側ＵＴとに区画するダイヤフラム９を周囲に設ける。さらに、非接液側ＵＴには弁棒８を閉弁方向に付勢する付勢手段１２と、弁箱５外部に揺動自在に設けたトリガー４に連繋して弁棒８を開弁方向へ強制的に引張する引張手段１３とを設ける。【選択図】図２
0003171526.tif 000002
【実用新案登録請求の範囲】
【請求項１】
弁箱内部において一次側流路と二次側流路とに連通する弁口の一次側に弁座を設けると共に、該弁座に弁体を着離自在に設け、該弁体の弁棒は、その軸線方向の中途部位に弁箱内部を接液側と非接液側とに区画するダイヤフラムを周囲に設け、非接液側には弁棒を閉弁方向に付勢する付勢手段と、弁箱外部に揺動自在に設けたトリガーに連繋して弁棒を開弁方向へ強制的に引張する引張手段とを設けたことを特徴とする液体供給用ガンノズル。
【請求項２】
一次側流路の流入口を拡径形成し、該流入口にこれと同径のフィルタ及び上流管の管端を順次に挿嵌し、一次側流路の管端外周に螺刻したユニオンねじに、上流管の管端に外嵌されると共に、上流管の管端に外方突設したユニオン鍔に小径開口端が係止されるユニオンナットを螺着したことを特徴とする請求項１記載の液体供給用ガンノズル。
【考案の詳細な説明】
【技術分野】
【０００１】
本考案は、液体供給用ガンノズルに関する。
【背景技術】
【０００２】
従来、この種のガンノズルにおける弁体駆動部は、圧縮コイルスプリングと弁箱内に供給される高圧水によって弁体を閉弁する様に付勢すると共に、該弁体にはこれを強制的に開弁方向へ押圧可能なロッドを弁箱外部に揺動自在に設けたトリガーに連繋している。
そして、トリガーを引けばロッドが弁体を開弁方向へ押圧して開弁し、高圧水を供給する様に成している。
【先行技術文献】
【特許文献】
【０００３】
【特許文献１】特開平１１−３３６９２９号公報
【考案の概要】
【考案が解決しようとする課題】
【０００４】
しかしながら、上記弁体駆動部は、弁箱に内装されてその内部に供給される高圧水に浸漬されることになるため、高圧水として使用される液体は、弁体駆動部の構成部材、特にスプリングを腐食させる様な、例えば酸性の液体を使用することは叶わなかった。
また、スプリングを腐食させるほどの液体でなくても、例えば高品位尿素水の様にスプリングの鉄分が僅かでも液体中に溶け出して混入すると品質が低下する様な液体も使用できなかった。
そこで、本考案では、弁体駆動部を弁箱内に流入する液体に接触させない様にした液体供給用ガンノズルを提供する。
【課題を解決するための手段】
【０００５】
上記課題に鑑み、本考案の液体供給用ガンノズルは、弁箱内部において一次側流路と二次側流路とに連通する弁口の一次側に弁座を設けると共に、該弁座に弁体を着離自在に設け、該弁体の弁棒は、その軸線方向の中途部位に弁箱内部を接液側と非接液側とに区画するダイヤフラムを周囲に設け、非接液側には弁棒を閉弁方向に付勢する付勢手段と、弁箱外部に揺動自在に設けたトリガーに連繋して弁棒を開弁方向へ強制的に引張する引張手段とを設けたことを特徴とする。
又、一次側流路の流入口を拡径形成し、該流入口にこれと同径のフィルタ及び上流管の管端を順次に挿嵌し、一次側流路の管端外周に螺刻したユニオンねじに、上流管の管端に外嵌されると共に、上流管の管端に外方突設したユニオン鍔に小径開口端が係止されるユニオンナットを螺着したことを特徴とする。
【考案の効果】
【０００６】
要するに本考案は、弁箱内部において一次側流路と二次側流路とに連通する弁口の一次側に弁座を設けると共に、該弁座に弁体を着離自在に設け、該弁体の弁棒は、その軸線方向の中途部位に弁箱内部を接液側と非接液側とに区画するダイヤフラムを周囲に設け、非接液側には弁棒を閉弁方向に付勢する付勢手段と、弁箱外部に揺動自在に設けたトリガーに連繋して弁棒を開弁方向へ強制的に引張する引張手段とを設けたので、弁体を駆動させる付勢手段と引張手段は弁箱内に流入する液体とは接触しない。
よって、液体によって弁体駆動部（付勢手段と引張手段）が腐食することは皆無であり、従来のガンノズルでは使用できなかった液体の使用も可能となる。
又、弁体駆動部の作動性を良好とするために、それらの適所にグリスを塗布しても、このグリスが液体に混入することもなく、安心して使用できると共に、塗布したグリスが液体に溶出しないため、グリス補充の手間も省ける。
【０００７】
一次側流路の流入口を拡径形成し、該流入口にこれと同径のフィルタ及び上流管の管端を順次に挿嵌し、一次側流路の管端外周に螺刻したユニオンねじに、上流管の管端に外嵌されると共に、上流管の管端に外方突設したユニオン鍔に小径開口端が係止されるユニオンナットを螺着したので、上流管から流入する液体中に異物が含まれていても、該異物は一次側流路の流入口のフィルタで濾過でき、弁箱への侵入を防止できる。
これにより、弁体と弁座間に異物が挟まって、完全に閉弁できなくなり、液体が漏出する様な作動不良を未然に防ぐことができる。
又、フィルタのメンテナンスは、一次側の液体供給用のポンプを停止した後にトリガーを引いてガンノズル内部とこれに接続した上流管の管端側近傍の液体を抜き、ユニオンナットをユニオンねじから螺退させ、一次側流路の流入口から上流管を抜き出し、その奥方のフィルタを取り出すことで成し得る。
この様に、フィルタは着脱が容易で、その着脱時に上流管内全ての液体を抜く必要がないので、手間隙がかからず、その作業効率を向上できる等その実用的効果甚だ大である。
【図面の簡単な説明】
【０００８】
【図１】本考案に係る液体供給用ガンノズルの一部破断側面図である。
【図２】接続管を省略した図１のＡ−Ａ断面図である。
【考案を実施するための形態】
【０００９】
以下本考案の実施の一形態例を図面に基づいて説明する。
本考案に係る液体供給用ガンノズル１（以下、単にガンノズル１と称する。）は、図示しない液体供給用の加圧ポンプにホースから成る上流管Ｕを介して接続されている。
【００１０】
このガンノズル１は一次側流路2aを有する上流管Ｕとの接続管２と、二次側流路3aを有するノズル３と、一次側流路2aと二次側流路3aを接続する鈍角な流路を有すると共に、トリガー４を外部に揺動自在に設けた弁箱５とから主に構成されている。
【００１１】
弁箱５は、その内部において一次側流路2aと二次側流路3aとに連通すると共に、二次側流路3aと連続して同一軸線上にある弁口６の一次側に弁座6aを設け、該弁座6aに弁体７を着離自在に設けている。
【００１２】
弁体７の軸線上においてその背面に直立する弁棒８は、その軸線方向の中途部位に弁箱５内部を接液側Ｔと非接液側UTとに区画するダイヤフラム９の中心を気密状に貫通固着して周囲に設けている。
尚、ダイヤフラム９は、ポリテトラフルオロエチレンの様に耐薬品性の優れた素材から成るものが望ましい。
【００１３】
弁箱５において、弁口６と同軸にしてノズル３の反対側に開設した開口部5aには、ダイヤフラム受けスリーブ10の一端側をＯリングで以て水密状に挿嵌螺着し、ダイヤフラム受けスリーブ10には弁棒案内キャップ11を挿嵌螺着している。
【００１４】
ダイヤフラム受けスリーブ10において、弁箱５内方へ挿入された一端開口部内周にはダイヤフラム９外周縁を載置する円環面10ａを設け、該円環面10ａ上のダイヤフラム９外周縁を、ダイヤフラム受けスリーブ10の他端開口部から挿嵌螺着した弁棒案内キャップ11の開口部端面で押圧保持している。
そして、弁棒８上端は、弁棒案内キャップ11の上端面中央を貫通突出している。
【００１５】
又、弁箱５において、非接液側UTには弁棒８を閉弁方向に付勢する付勢手段12と、トリガー４に連繋して弁棒８を開弁方向へ強制的に引張する引張手段13とを設けている。
【００１６】
付勢手段12は、弁棒案内キャップ11天井（内部上面）における弁棒８の貫通口の周囲と、弁棒８の適宜高さ部位に外方突設した大径段部の間に、弁棒８に外嵌して圧縮介装した圧縮コイルスプリングから成り、常に弁体７が弁座6aに着座して閉弁する様にスプリング12の付勢力が設定されている。
【００１７】
トリガー４は、二股に形成された基端の夫々が弁箱５の左右側部に設けた支点4aに枢着され、接続管２の先端側からノズル３の基端側に渡って架設したトリガーガード14において接続管２との連結端から所定長さ部位に渡って揺動案内される様にトリガー４先端をトリガーガード14内周に摺接している。
【００１８】
引張手段13は、弁棒案内キャップ11外部で弁棒８の突端を貫通固定した梁部13ａと、該梁部13ａの左右端に垂下した脚部13ｂとから成る正面視門型状（図２参照）の弁棒ハンガーである。
弁棒ハンガー（引張手段）13は、その脚部13ｂ下端がトリガー４基端に設けた凹部4bに配置され、図２に示す様に、閉弁状態でスプリング12の付勢力を弁棒ハンガー13を介して受承するトリガー４は、先端がその軌道上で接続管２より最も離間した位置Ｘ（以下、閉弁位置Ｘと称する。）に配置されている。
【００１９】
そして、閉弁位置Ｘのトリガー４を（接続管２側へ揺動する）引くことで弁棒ハンガー13を介して弁棒８を開弁方向へ強制的に引張し、これにより弁体７を弁座6aより離間させ、弁口６を介して一次側流路2aと二次側流路3aを連通させ、ノズル３より圧力液体を吐出する様に成している。
【００２０】
又、弁箱５外部の上方部位には、弁箱５の非接液側UTを被冠するカバーキャップ15を螺着した雄ねじ部16が周設され、該雄ねじ部16は弁棒ハンガー13の脚部13ｂとの交差部が切断され、支障なく弁棒ハンガー13が上下動できる様に成している。
【００２１】
次に、ガンノズル１と上流管Ｕとの接続構造について説明する。
ガンノズル１の接続管２にあっては、その一次側流路2aの流入口2bを拡径形成してその奥方に環状段部2cを形成すると共に、一次側流路2a（接続管２）の管端外周にユニオンねじ17を螺刻している。
【００２２】
上流管Ｕの管端U1には円環状のユニオン鍔U2が外方突設され、該ユニオン鍔U2に小径開口端18ａが係止可能なユニオンナット18が外嵌されている。
尚、図示例では、上流管Ｕの管端U1となる管継手のみを便宜上示しているが、通常はこの管継手にホースが連結されている。
そして、接続管２の流入口2bにこれと同径のフィルタ19及び上流管Ｕの管端U1を順次に挿嵌し、ユニオン鍔U2を接続管２の管端面とユニオンナット18の小径開口端18ａで挟持する様に、ユニオンねじ17にユニオンナット18を螺着することで、ガンノズル１と上流管Ｕは接続される。
【００２３】
ここに、フィルタ19は環状段部2cに掛止可能な円環枠19ａを設け、該円環枠19ａの内側に所定メッシュの格子網19ｂを配設している。
又、上流管Ｕの管端U1の外周にはＯリング溝を穿設し、該Ｏリング溝にＯリング20を配設することにより、接続管２の流入口2bへの挿嵌状態での水密性を保持している。
この様に、フィルタ19が一次側流路2aの流入口2bに配設されているので、上流管Ｕから流入する液体中に異物が含まれていても、異物をフィルタ19が濾過して弁箱５内への侵入を防止する。
【００２４】
上記の様に構成されたガンノズル１にあっては、閉弁位置Ｘにおけるトリガー４に何らの外力が作用していない状態では、弁体７はスプリング12の付勢力によって閉弁、即ち弁座６に弁体７が着座している。
かかる状態よりトリガー４を（接続管２側へ揺動する）引くと、該トリガー４の凹部4b内に配置された弁棒ハンガー13の脚部13ｂを開弁方向へ押圧する。
【００２５】
これにより、弁棒８は弁棒ハンガー13によって開弁方向へ引張され、弁体７は弁座6aより離脱して弁口６を開口し、該弁口６を介して一次側流路2aと二次側流路3aは連通し、ノズル３より圧力液体圧力液体は吐出される。
【００２６】
上記吐出状態において、トリガー４を手放すと、スプリング12の付勢力によって弁棒８は閉弁方向へ復帰し、これに連動する弁棒ハンガー13を介してトリガー４も閉弁位置Ｘへ復位すると共に、弁体７は弁座6aに着座して弁口６を閉塞し、弁箱５からの液体の流出が停止する。
【００２７】
上記したガンノズル１による液体の吐出及びその停止状態のいずれにあっても、ダイヤフラム９により、液体流路（一次側流路2a、二次側流路3a及び弁箱５内部）を有する接液側Ｔと、弁体駆動部（弁棒案内キャップ11、スプリング12及び弁棒ハンガー13）を有する非接液側UTとに区画されているので、弁体駆動部11〜13は、液体に接触することはなく、接液による腐食が未然に阻止される。
又、弁体駆動部11〜13の作動性を良好とするために、それらの適所にグリスを塗布しても、このグリスが液体に混入することもない。
【００２８】
次にフィルタ19のメンテナンスについて説明する。
まず上流管Ｕの管端U1に接続した液体供給用の加圧ポンプを停止し、ノズル３の吹出口を下向きにしてトリガー４を引く。
これにより、ガンノズル（一次側流路2a、二次側流路3a及び弁箱５）１内部と、これに接続した上流管Ｕの管端U1側近傍に滞留している液体を排出させられ、上流管Ｕ内全体の液体を抜く必要はない。
【００２９】
よってユニオンナット18をユニオンねじ17から螺退させ、一次側流路2aの流入口2bから上流管Ｕを抜き出しても、このとき既に、ガンノズル１内及び上流管Ｕの管端U1近傍には液体を保有していないため、液体を外部に漏らすことはなく、例えば人体に直接触れれば危険な液体の場合であっても安全であり、簡単にフィルタ19を流入口2bから取り出せる。
そして、取り出したフィルタ19は洗浄又は交換され、再度流入口2bに装填され、上記と逆の手順でガンノズル１に上流管Ｕは接続される。
【符号の説明】
【００３０】
2a    一次側流路
2b    流入口
3a    二次側流路
４    トリガー
５    弁箱
６    弁口
6a    弁座
７    弁体
８    弁棒
９    ダイヤフラム
12    付勢手段
13    引張手段
17    ユニオンねじ
18    ユニオンナット
18ａ  小径開口端
19    フィルタ
Ｔ    接液側
UT    非接液側
Ｕ    上流管
U1    管端
U2    ユニオン鍔
【図１】
0003171526.tif 000003
【図２】
0003171526.tif 000004